(57)【要約】【課題】デジタル印刷工程を制御および調節するための方法および装置を提供する。【解決手段】印刷形式可変製作装置における製作工程の制御または調節のための本発明による方法において、製作工程は1つまたは複数の注文を含み、これらの注文の各々に対して対応する製品データが記憶装置に記憶される方法は、a)読取装置によって、基材の少なくとも一部の印刷画像を読み取るステップと、b)関連する注文と関連する製品データとを読み取られた印刷画像に割り当てるために、読み取られた印刷画像を、各々の注文に対して記憶された製品データと比較するステップと、c)この比較に基づいて後続の制御アクションを計算するために、読み取られた印刷画像を、割り当てられた製品データと比較するステップと、d)制御アクションを製作装置によって実行するステップとを含む。本発明による装置は、前述の方法を実行するために適合される。【選択図】図2
2015122748.tif 000002
【特許請求の範囲】
【請求項１】
印刷形式可変製作装置(1、2、3)において製作工程を制御または調節するための方法において、前記製作工程は1つまたは複数の注文を含み、これらの注文の各々に対して対応する製品データが記憶装置に記憶される方法であって、
a.読取装置(3)によって、基材(4)の少なくとも一部の印刷画像を読み取るステップと、
b.関連する前記注文と関連する前記製品データとを読み取られた前記印刷画像に割り当てるために、読み取られた前記印刷画像を、各々の注文に対して記憶された前記製品データと比較するステップと、
c.この比較に基づいて後続の制御アクションを計算するために、読み取られた前記印刷画像を、関連する前記製品データと比較するステップと、
d.前記制御アクションを前記製作装置(1、2、3)によって実行するステップと
を含む方法。
【請求項２】
製品データは、画像データ、面付けレイアウト、および/または製品構造データを含む、請求項1に記載の方法。
【請求項３】
前記製品構造データは、各々の注文に従って、製品の論理的構造、内容、個性化に関する情報と、物流上の情報と、商業上の情報とを含む、請求項2に記載の方法。
【請求項４】
ステップbにおいて、読み取られた前記印刷画像は、関連する前記注文を割り当てるために、かつ、関連する前記面付けレイアウトおよび関連する前記製品構造データを特定してこれらを前記印刷画像に割り当てるために、各々の注文に対して記憶された前記画像データと比較される、請求項2または3に記載の方法。
【請求項５】
ステップcにおいて、読み取られた前記印刷画像は、前記画像データ、特定された前記面付けレイアウト、および前記製品構造データと比較される、請求項4に記載の方法。
【請求項６】
前記基材(4)の全体の印刷画像が読み取られる、請求項1から5のいずれか一項に記載の方法。
【請求項７】
前記基材(4)の前記印刷画像の少なくとも1つの所定のトラックが読み取られる、請求項1から6のいずれか一項に記載の方法。
【請求項８】
前記読み取りは前記基材(4)の少なくとも一方の側において実施される、請求項1から7のいずれか一項に記載の方法。
【請求項９】
前記基材は、巻き取り状またはシート状の基材、具体的には、巻き取り紙または紙シートを含む、請求項1から8のいずれか一項に記載の方法。
【請求項１０】
読み取りはセンサ(3)によってもたらされる、請求項1から9のいずれか一項に記載の方法。
【請求項１１】
前記印刷画像は画素の正確さで読み取られる、請求項1から10のいずれか一項に記載の方法。
【請求項１２】
実質的に幾何学的な特徴が読み取られるように、前記印刷画像が読み取られる、請求項1から11のいずれか一項に記載の方法。
【請求項１３】
1つまたは複数の所定の特徴に関するヒストグラムが作り出されるように、前記印刷画像が読み取られる、請求項1から12のいずれか一項に記載の方法。
【請求項１４】
1つまたは複数の所定の特徴は、白、黒、青、黄、赤、および/または緑の色を含む、請求項13に記載の方法。
【請求項１５】
前記印刷画像のさらなる特徴の画素の正確さの読み取りがさらに行われる、請求項13または14に記載の方法。
【請求項１６】
制御アクションは、前記製作装置のすべての後続の処理アクション、具体的には、切断、収集、穿孔、折り曲げ、分割、分離、接着、打ち抜き、ブックブロック形成、および/または次のさらなる処理装置への送り出しを含む、請求項1から15のいずれか一項に記載の方法。
【請求項１７】
請求項1から16のいずれか一項に記載の方法を実行する印刷形式可変製作装置。
【発明の詳細な説明】
【技術分野】
【０００１】
本発明は、印刷形式可変製作装置における製作工程を制御および調節するための方法と、独立請求項による方法を実行するための装置とに関する。
【背景技術】
【０００２】
印刷店では、注文を完全に実行できる製作装置が採用されている。これは、注文の印刷と、例えば、一枚からなる宣伝のチラシから完全に綴じた本までといった、完成した製品へのさらなる処理とを含んでいる。
【０００３】
デジタル印刷機が印刷装置として用いられる製作装置が益々採用されており、デジタル印刷機は、従来のオフセット印刷機と比較して、複数の変更および異なる印刷の注文を処理するのに特に適している、すなわち、デジタル印刷機は、各々の個別の印刷運転で画像を再生するため、原理上、各々個別の印刷の複写を異なるように印刷できることに留意されたい。これらの製作装置は、印刷形式可変装置またはデジタル印刷機と呼ばれている。
【０００４】
実施からすでに公知となっていることは、デジタル印刷機は、製作計画および製作制御のシステムを含むこと、つまり、例えば、デジタル印刷機において印刷注文の印刷を計画および制御するために、デジタル印刷計画モジュールと印刷機コンピュータとを含むことである。
【０００５】
さらに、印刷前段階、つまり、実際の機械の印刷運転の前の製作段階では、必要とされる情報、すなわち、いわゆる印刷データが、プリセット機械印刷条件、プリセット印刷方法、それに応じてデジタルデータベース内で決定されている領域範囲および色と合致するようにすでに準備されることが知られている。このデータに基づいて、印刷運転が、例えばインクジェット印刷装置またはレーザ印刷装置などの印刷機で次に行われ、印刷製作の間は、これらのデジタル印刷データはもはや変更されることはない。デジタル印刷機では、これらのデータは、デジタル印刷データまたは画像データとしてデジタルで記憶され、また、製作装置に利用可能とされ得るか、または、製作工程を通じて製作装置からアクセスされ得る。
【０００６】
さらに、当業者には公知であるいわゆる面付けのデータも、さらなる処理のために適した形式で、製作計画および製作制御のシステムに記憶できることが知られている。
【０００７】
さらに、デジタル印刷機の下流に配置された、例えば、切断、折り曲げ、接着、打ち抜き、分割、収集、分離、および/または縫合の装置といったさらなる処理装置が作動される必要があることは、公知である。この作動は、印刷工程の間に個別の印刷注文において印刷されると共に、いわゆる基材に印刷される、いわゆる「目印」を用いて今日まで行われている。ここで、異なる「目印」が、さらなる処理装置によって実行される任意のアクションのために、一般的に必要とされる。
【０００８】
この方法は複数の欠点がある。一方において、顧客は完成した製品に目印があることを望まないため、目印を含む基材の一部が切断される必要があり、そのため、より多くの紙とインクとが、目印を印刷するために必要とされる空間に必要とされる。さらに、さらなる処理機が、製作計画および製作制御のシステムのデータの流れに自動的に結び付けることができないため、製作工程の自動化の度合いが制限される。これは、例えば、切断、収集、折り曲げ、接着、分割、穿孔、分離などの制御アクションを、各々の注文について個別の順序において容易に実行することができない、つまり、印刷工程の前に定められて後で印刷される目印なしでは容易に実行することができず、印刷工程を減速させる可能性があることを、とりわけ意味している。さらに、目印を用いた品質検査が不可能である。
【０００９】
自動化の度合いの向上が、同じ出願人によって提出された特許出願で提案されている。しかしながら、その特許出願では、紙およびインクの消費が多い問題が解決されていない。その特許出願では、各々の注文に対する素早い異なる制御アクション、つまり、ページの正確な制御アクションが、問題として明らかにされていない、または、解決されていない。
【発明の概要】
【発明が解決しようとする課題】
【００１０】
そのため、前述の問題を解決することが本発明の目的である。
【課題を解決するための手段】
【００１１】
この目的は、請求項1に記載の印刷形式可変製作装置において製作工程を制御または調節するための方法によって、および、請求項17に記載の装置によって解決される。さらに有利な構成が、従属請求項において開示されている。
【００１２】
印刷形式可変製作装置において製作工程を制御または調節するための本発明による方法において、製作工程は1つまたは複数の注文を含み、これらの注文の各々に対して適切な製作データが記憶装置に記憶される方法は、a)読取装置によって、基材の少なくとも一部の印刷画像を読み取るステップと、b)関連する注文と関連する製品データとを読み取られた印刷画像に割り当てるために、読み取られた印刷画像を、各々の注文に対して記憶された製品データと比較するステップと、c)この比較に基づいて後続の制御アクションを計算するために、読み取られた印刷画像を、割り当てられた製品データと比較するステップと、d)制御アクションを製作装置によって実行するステップとを含む。本発明による装置は、前述の方法を実行するために、この目的のために適合される。
【００１３】
本発明の核心は、目印を使用しない製作工程を利用可能にすることである。目印のない製作の利点は、紙およびインクが後で節約され、それによって、製作コストが低減でき、より環境にやさしい方法が利用可能とされる。さらに、より高い度合いの自動化が、例えば、各々の印刷注文に対しての画像、面付け、および/または製品構造データなどの製品データを提供することによって、このような方法で実現され、それによって、より柔軟な製作計画が可能とされ、これはより速い製作工程をもたらす。
【００１４】
本発明による印刷形式可変製作装置は、1つまたは複数の一体化されたさらなる処理装置を備えた印刷機と、印刷機および1つまたはさらなるモジュール、つまり、さらなる処理装置として機能する非一体の構成要素との両方を備えることができる。印刷機では、1つまたは複数の巻き取り紙または紙シートが、現在の注文に従って印刷され、記憶装置に記憶され、さらなる処理装置へと後で送り出される。ここで、製作工程は複数の注文を含み、各々の注文は、前の注文と異なる可能性がある。
【００１５】
本発明による記憶装置は、記憶情報についての任意の装置を備えてもよい。記憶装置は、製作装置のうちの1つに一体化されてもよいし、または、例えばネットワーク接続および適切なインターフェースを介して、利用可能とされてもよく、先行技術から公知である。記憶装置は、例えば他の製作機のインターフェースによって、記憶されたデータを利用可能にすることができる。データ形式は、それぞれの製作機に適した形式へと変換されてもよい。記憶装置は、例えば、画像、面付け、および製品構造データといった、利用可能とされた任意の製品データを記憶でき、これらを必要に応じて各々の製作装置に利用可能とさせることができる。
【００１６】
本発明によるさらなる処理装置とは、印刷機から来る基材のさらなる処理を、その基材を、巻き取り紙として、シートとして、または、任意の他の可能な形式として可能にするすべての装置である。これらは、とりわけ、切断、折り曲げ、打ち抜き、分割、収集、分離、および/または縫合の1つまたは複数の装置、またはそれらの組み合わせである。さらなる処理は、印刷機から来る基材の任意のさらなる処理、つまり、例えば、切断、折り曲げ、収集、接着、分割、穿孔、分離、結合、ブックブロック製本、および/または次のさらなる処理装置などへの送り出しを意味することである。
【００１７】
本発明による読取装置は、さらなる処理装置の前に組み込まれ得るか、または、さらなる処理装置中に組み込まれ得るか、または、モジュール構成で利用可能とされ得る。読取装置は、印刷機で作り出されて送り出された基材の印刷画像の少なくとも一部を読み取る。
【００１８】
各々の注文の印刷画像を読み取るために、異なる方法および装置が、採用される読取装置に応じて使用できる。例えば、注文の印刷画像の1つまたは複数の所定の部分のみが読み取りできる。例えば、このような部分は、例えば幾何学的データといった、対応する印刷注文の特性である特徴を有する所定の領域であり得る。複数の領域が同時に読み取られてもよい。領域は、例えば、単一もしくは複数のトラックもしくは道、または、個別の注文の所定の領域、またはそれらの組み合わせであり得る。領域は互いと異なってもよい。読み取りは、センサまたは他の適切な読取装置によってもたらされ得る。印刷画像は、どの読取装置が用いられるかに応じて、画素の正確さで、または、任意の所望の解像度で読み取られ得る。読み取りは、例えば、デジタル写真から公知である画像または色のヒストグラムによって、複数の所定の特徴のヒストグラムが作り出されて実行されてもよい。例えば、個別の色または複数の色など、またその中でも白および黒といった、1つまたは複数の所定の特徴が感知され得る。例えば、領域についての色の読み取りと、さらなる領域についての画素の正確さの読み取りとの組み合わせも、行われ得る。これは、例えば、ページ番号で主に異なる本のページの読み取りにとって有利であり得る。しかしながら、本明細書で説明された読み取りの可能性は限定されていない。むしろ、印刷画像を読み取るための任意の方法が、必要とされる情報、つまり、例えば解像度に関しての要件を満たす限り用いることができる。印刷画像の再撮影、または、例えば画像処理からも公知であるような線による印刷画像の読み取りなどの方法も、検討可能である。
【００１９】
読取装置が印刷画像を読み取ると、読み取られた印刷画像は、適切な注文を印刷画像に割り当てるために、例えば画像データまたはデジタル印刷データなど、各々の注文に対して公知であって印刷のためにすでに記憶された製品データと比較される。比較は、公知の比較装置によって実施され、印刷画像がどのように読み取られたかに依存している。例えば、画像同士の比較は、全体の印刷画像が画像データと比較される間に行われてもよい。しかしながら、ヒストグラムは、画像データが同じ形式で利用可能なとき、または、同じ形式に変換されるときに、画像データと比較されてもよい。比較は、コンピュータ出力および比較されるデータにも依存しており、高い効率と必要な精度とが達成され得るように選択される。
【００２０】
関連する注文がそれぞれの印刷画像に割り当てられると、注文に対応する製品データ、具体的には面付けおよび製品構造データが印刷画像に同様に割り当てられ、その結果、これらから、注文に対応する後続の制御アクションが割り当てられて実行され得る。
【００２１】
製品データは、同じ記憶装置に好ましくは記憶されるが、同じ記憶装置に限定されない。製品データは、直接的に使用できる形式、または、適切な形式に変換できる形式で提供できる。
【００２２】
また、前述の方法を実行する印刷形式可変装置が、本発明によって提供される。この装置は、例えば、印刷機、読取装置、記憶装置、および、さらなる処理装置など、方法について先に説明された装置を少なくとも備える。印刷形式可変製作装置で印刷工程を実行するために必要とされるさらなる装置は、当業者には公知であり、ここでは述べられない。
【００２３】
以下において、本発明が、例示の実施形態を単に表すだけの添付の図面を用いて、より詳細に説明される。
【図面の簡単な説明】
【００２４】
【図１】一体化されたさらなる処理装置を具備する印刷機を備えた製作装置の原理上の構造の図である。
【図２】読取装置および読み取られる印刷画像の拡大図である。
【図３】印刷された巻き取り紙の読み取られ得る領域の図である。
【発明を実施するための形態】
【００２５】
図1を参照しつつ示されて説明されるのは、一体化されたさらなる処理装置2を具備する印刷機1を備えた製作装置である。また、図2は読取装置3を示しており、読取装置3は、例えば印刷された巻き取り紙または紙シートといった、印刷機から来る基材4の印刷画像を読み取る。さらなる処理装置2へと向かわされる基材4は、存在している注文と、それぞれの注文に対して提供された画像データ、つまり、デジタル印刷データとに従って、印刷機1において印刷される。画像データは、各々の注文に対して分かっており、記憶装置(図示せず)に記憶されている。読取装置3を用いて、基材4はさらなる処理装置2へと向かわされ、そこでそれぞれの注文に対して決定された制御アクションに従ってさらに処理される。
【００２６】
図2は、読取装置3および読み取られる印刷画像4の拡大図である。読取装置3は、基材4がさらなる処理装置2へと到達する前に、基材4の少なくとも一部を読み取る。読み取られた印刷画像は、各々の注文に対して記憶された画像データと比較される。この比較によって、関連する注文と、したがって合致する面付けおよび製品構造データとが、印刷画像に割り当てできる。合致する注文へと割り当てることで、後続の制御アクションが、それぞれの注文に対して決定でき、さらなる処理装置2において実行できる。
【００２７】
図3は、読み取られ得る領域の例示的な拡大図を示している。例えば、ページ番号または他の特定的な特徴が存在する領域といった、個別のトラック5または所定の領域6またはそれらの組み合わせが、読み取りできる。この読み取りは、好ましくは画素の正確さで、高解像度の手法で優先的に実行されるが、これは、ここでは、一義的な割り当てを得るために、画像の内容の読み取りが望まれるためである。本明細書で示した例では、読み取りは、基材の一方の側のみにおいて実施される。しかしながら、これに限定されない。対照的に、読み取りは、例えば巻き取り紙または紙シートの場合に上部および底部からといった、1つまたは複数のページにおいて実施されてもよい。
【００２８】
本発明は、前述の方法と、目印なしで印刷画像の読み取りをするための装置とを提供することで、最初に説明した欠点を克服する。さらなる利点は、読取装置を用いて、製作装置においてさえも結果として生じる製品の品質確認を実行するという可能性であり、例えば、完全性の確認を実行するか、または、面付けの認証を達成する。
【符号の説明】
【００２９】
1  印刷機
2  さらなる処理装置
3  読取装置
4  基材（巻き取り紙または紙シート）
5  個別のトラック
6  所定の領域
【図１】
2015122748.tif 000003
【図２】
2015122748.tif 000004
【図３】
2015122748.tif 000005
【外国語明細書】
2015122748000001.pdf